(57)【要約】      （修正有）【課題】容器の受け入れ及び解放の位置が変えられることを許容するコンベヤ装置を提供する。【解決手段】回転軸に従って回転するプラットフォーム９と、プラットフォーム９に支持されており、回転の縁部から回転軸へ延ばされた対応するスリット１２内でスライド可能な手段であって、当該手段内部の内部管６を通り、前記プラットフォーム９の決定された回転角度において特定の程度の吸引力が引き起こされる、という手段と、前記手段は、前記プラットフォーム９の完全な回転の間、前記プラットフォーム９の回転に対して移動可能であり、且つ、前記回転の縁部から回転軸へ、及び、その反対へ、移動されるトロリ部である。移動の動作は、吸引ボックス上に設けられた閉ループ状の第１のガイド、及び、プラットフォーム９と一体の第２の放射状のガイド１２によって、誘導される。【選択図】図３
2014111503.tif 000002
【特許請求の範囲】
【請求項１】
容器（２）を受け入れて、運搬して、解放するための回転式コンベヤ装置（１）であって、
ａ．回転軸（ＡＡ）に従って回転するプラットフォーム（９）と、
ｂ．前記プラットフォーム（９）に支持されており、回転の縁部（９Ｂ）から回転軸（ＡＡ）へ延ばされた対応するスリット（１２）内でスライド可能な手段（３）であって、当該手段（３）内部の内部管（６）を通り、前記プラットフォーム（９）の決定された回転角度において特定の程度の吸引力が引き起こされる、という手段（３）と、
ｃ．下部に配置され、前記プラットフォーム（９）に接触されており、当該吸引ボックス（４）上の当該吸引ボックス（４）のある角度での断面に沿って延ばされた吸引口（７）を有する吸引ボックス（４）と、
を備え、
前記手段（３）は、前記プラットフォーム（９）の完全な回転の間、前記プラットフォーム（９）の回転に対して移動可能であり、且つ、前記回転の縁部（９Ｂ）から回転軸（ＡＡ）へ、及び、その反対へ、移動されるトロリ部である
ことを特徴とする回転式コンベヤ装置。
【請求項２】
前記トロリ部（３）を動かす動作は、前記吸引ボックス（４）上の閉ループ状のガイド（１３）、及び、前記プラットフォーム（９）上の放射状のガイド（１５）によって、誘導されており、
前記プラットフォーム（９）の回転の間、前記トロリ部（３）は、
ａ．前記プラットフォーム（９）と一体の参照部に従って、前記ガイド（１５）によって与えられる径方向に沿って、
ｂ．当該装置の外側に固定された参照部に従って、前記ガイド（１３）によって与えられるループ状の経路に沿って、
移動される
ことを特徴とする請求項１に記載の回転式コンベヤ装置。
【請求項３】
前記閉ループ状のガイド（１３）は、閉ループ状の軌道を有し、
前記軌道内で、ピン（１４）が、前記トロリ部（３）の転がりのために嵌め込まれ、前記ピンは、前記トロリ部の下方に延ばされている
ことを特徴とする請求項２に記載の回転式コンベヤ装置。
【請求項４】
前記放射状のガイド（１５）は、前記プラットフォームと一体的であり、
横の支持部又はガイドは、前記トロリ部に関して側方に設置され、且つ、片持ち支持されたレールとスライドベアリングによって前記トロリ部（３）を支持している
ことを特徴とする請求項２に記載の回転式コンベヤ装置。
【請求項５】
前記吸引口（７）は、前記プラットフォーム（９）の下面に対向された前記ボックス（４）の上面（４Ｂ）上に設けられ、
前記吸引口（７）は、少なくとも２つの曲線部位（７Ｂ，７Ｃ）を有しており、そのうちの一方の部位（７Ｃ）が前記プラットフォーム（９）の前記軸（ＡＡ）の近接位置に配置される一方で、他方の部位（７Ｂ）が前記プラットフォーム（９）の前記縁部（９Ｂ）に隣接して延ばされている
ことを特徴とする請求項１に記載の回転式コンベヤ装置。
【請求項６】
前記内部管（６）は、前記トロリ部の内部に延ばされており、前記容器を保持するようになっている排出口（８）を通って開放されている
ことを特徴とする請求項１に記載の回転式コンベヤ装置。
【請求項７】
前記内部管（６）は、前記プラットフォーム（９）のある回転断面に沿って、前記スリット（７）したがって前記吸引ボックス（４）の内部の関連する空間（５）に向けて位置決めされることが想定されており、
前記空間（５）の内部には真空が提供されており、
このような形態によって、前記トロリ部（３）は前記関連する容器（２）を保持する
ことを特徴とする請求項１に記載の回転式コンベヤ装置。
【請求項８】
前記吸引システムは、「コントロールドリーケージタイプ」、すなわち、前記固定されたプラットフォーム（９）と前記ボックス（４）との間の漏出が制限されるタイプのものであり、前記吸引ボックス（４）の内部で生成された全体の減圧に大きな影響を与えず、
吸引力は、前記スリット（７）を通して、前記吸引ボックス（４）と前記トロリ部（３）のそれぞれの関連する内部管（６）との間で維持される
ことを特徴とする請求項１に記載の回転式コンベヤ装置。
【請求項９】
前記吸引ボックス（４）は、前記回転軸（ＡＡ）に関して同心ではなく、当該吸引ボックスの外側のケースに関してオフセットした位置に穴部（１１）を有しており、
前記穴部（１１）は、前記プラットフォーム（９）を回転可能に制御するシャフト（１０）の移動を許容する
ことを特徴とする請求項１に記載の回転式コンベヤ装置。
【発明の詳細な説明】
【技術分野】
【０００１】
本発明は、パッケージング及びボトリングの分野に位置づけられる。特に、吸引システムによってプラスチックボトル又はより一般的にはプラスチック容器を保持するようになっている把持手段を、その上部上に保持する回転プレートを備えた装置に関する。言い換えれば、当該装置は、減圧吸引システムによってライン又は機械の上流での前記容器のかみ合いを可能とし、且つ、当該装置のある角度の回転に引き続いてのライン又は機械の下流での解放を可能とする。
【背景技術】
【０００２】
前記装置の１つの種別は、「ロータリースターコンベヤ」という用語によって知られており、当該コンベヤは、概略として、少なくとも１つの円板の縁部上で互いに等間隔に配置された複数の固定された要素又は穴を備えており、加えて、それぞれの要素は、内部で減圧が引き起こされるボックスに接続されており、前記穴内の好適な溝によって、前記穴の好適な座部内に容器を引き込んで保持することが可能である。
【０００３】
上述した装置は、円板又はロータリースターの半径におおよそ等しい距離の位置に実質的に（ライン又は機械の上流において）配置された容器を収集し、もちろんライン又は機械の下流におけるある等距離の位置でそれを解放することのみができる。
【発明の概要】
【発明が解決しようとする課題】
【０００４】
本発明の目的は、ボトル又はより一般的には容器のための、略鉛直な回転軸に従って回転する形式のコンベヤ装置であって、穴の固定された配置に起因する上述した惜しまれる幾何学的制限を改善することができ、容器の受け入れ及び解放の位置が変えられることを許容するコンベヤ装置を提供することである。
【０００５】
本発明の効果は、互いに関して独立した態様で、受け入れの目的地又は最終的な解放の目的地を変えて、容器を扱うことが可能となることである。
【０００６】
前記目的及び効果は、下記請求項において与えられたものに特徴付けられる回転式コンベヤ装置によって、全て達成される。
【図面の簡単な説明】
【０００７】
本特徴及び他の特徴が、添付された図面において単なる非限定的な例として描かれた、以下の複数の実施の形態の説明から、より明確になり得る。
【図１】図１は、横のガイドを除いた、本発明の対象であるコンベヤ装置の断面図を示している。
【図２】図２は、横のガイドと把持トロリ部とを伴う、上部プラットフォームの断面図を示している。
【図３】図３は、プラットフォーム又は回転円盤の上方斜視図を示している。
【図４】図４は、図３のプラットフォームの平面図を示している。
【図５】図５は、当該装置の吸引ボックスの平面図を示している。
【図６】図６は、吸引ボックスの斜視図を示している。
【図７】図７は、吸引ボックスの更なる図を示している。
【図８】図８は、吸引ボックスの更なる図を示している。
【発明を実施するための形態】
【０００８】
上述した図面を特に参照し、参照符号１は、容器２、例えば空のプラスチックボトル、を受け入れて、運搬して、解放するようになっている回転式のコンベヤ装置を全体的に示している。
【０００９】
当該装置は、公知のタイプの駆動手段（図示せず）の推進力によって回転することができる、支持構造又はプラットフォーム９、つまり円盤状の要素、を備えており、当該回転は、符号１０で示された中央回転軸部によって規定され図面においてＡＡで示された回転軸に従って、生じる。
【００１０】
プラットフォーム９は、このため、上面と下面とを有しており、ディスク（プラットフォーム）９の上面は、容器を保持するためのトロリ部又は手段３を支持している。前記トロリ部は、後述するように、プラットフォームの決定された角度の回転の間、吸引によって容器を保持するようになっている。
【００１１】
プラットフォーム９の下方には、吸引ボックスとして作用するボックス４が、代わりに（接触した状態で）配置されている。
【００１２】
下方に配置されたボックス４が好適な構造部上に固定された状態を維持して、開口７を通して手段又はトロリ部３に必要な吸引力を付与する間、ディスク（プラットフォーム）９は回転している。
【００１３】
吸引ボックス４は、閉構造によって構成されている。好ましくは、その内部に空間５を有する円筒状の形態の閉構造であって、その内部に、公知のタイプの吸引システム（図示せず）を通して減圧が維持される。
【００１４】
吸引ボックス４は、その外側ケースに対してオフセットした位置に、ディスク（プラットフォーム）９を回転させる軸部の旋回移動を許容するための穴部１１を支持している。前述のように、穴部１１は、図５において示されたように、前記ボックスの中央に対して偏心した地点に配置されており、前記ボックスは、図１において示されたように、回転軸ＡＡに対して同心ではなくなり得る。
【００１５】
吸引ボックス４における上面４Ｂ上  −作動状態において、ディスク（プラットフォーム）９の下面に対して向けられる面−  において、不規則なＣ型形状の進行路に従って延ばされるスリット７の存在が観察される。図５を参照し、スリット７の右曲り部は、ディスク９の回転軸ＡＡ、つまり穴部１１の近傍の位置に配置され、一方、左曲り部７Ｃは、ディスク（プラットフォーム）９の縁部９Ｂに隣接して延ばされている。
【００１６】
開口７は、前記ボックスのある角度の部位のために延ばされており、ディスク（プラットフォーム）９の決定された回転角度のために吸引力を許容するのみである。
【００１７】
全体として、スリット（開口）７は、吸引システムが吸引ボックス４の上に配置されたディスク（プラットフォーム）９から空気を吸引することを、可能としている。より正確には、スリット（開口）７は、ディスク（プラットフォーム）９上の実質的に径方向で延ばされた複数のスリット１２であって、その中で対応するトロリ部３又は容器保持手段がスライドする複数のスリット１２を通して、吸引システムが空気を吸引することを可能としている。
【００１８】
そのような態様において、開口７は、プラットフォーム９の回転の間、トロリ部３がスリット７上の位置に到着する時毎に、吸引ボックス４の空間５をトロリ部３と接続する状態に置く。
【００１９】
この点において、閉ループ状のガイドレール１３の存在を説明することが必要であり、当該ガイド１３の中に、プラットフォーム９の回転の間当該ガイド１３に沿ってトロリ部３が円形の経路を描くことができるように、トロリ部３が嵌め込まれている。
【００２０】
本実施の形態によれば、ガイド１３は、吸引ボックス４の表面４Ｂ上に設けられており、確実な吸引のために、開口７と同じ平行な進行路を有しなければならない。また、本実施の形態によれば、溝（ガイド）１３内に、トロリ部３の下に突出するピン１４が、嵌め込まれている。
【００２１】
加えて、トロリ部３は、対応するスライド用のスリット１２に沿って配置された横の支持部材１５に対する転がり手段によって一体化されている。上述のことから、それぞれのトロリ部３が、ディスク（プラットフォーム）９の回転の間、以下のように動くことを推察できる。
【００２２】
プラットフォーム９と一体の参照部（ｒｅｆｅｒｅｎｃｅ）に従って、スリット１２によって与えられる実質的な径方向に沿って、動く。
【００２３】
当該装置の外側に固定された参照部（ｒｅｆｅｒｅｎｃｅ）に従って溝１３によって与えられるループ状の経路に沿って、動く。
【００２４】
本実施の形態においては、横の支持部材又はガイドは、レール及びスライドベアリングによってトロリ部３を支持している。詳細には、前記スライドベアリングは、トロリ部３に対して片持ち式に側方に設置されている。
【００２５】
一方で、トロリ部３の下部は、外側の口部８を通って開放する前まで内部に延ばされた内部管６を有し、当該内部管６の口部は、開口７及び従って吸引ボックス４の内部の空間５に、連結（インタフェース）、つまり、対向されるように、配置されている。このような形態において、トロリ部３は、吸引力によって、内部管６を介して容器２を引きつけ、下方のスリット７の存在に応じて、回転の期間全体の間、容器２を保持する。下方に突出した回転するピン１４は、対応する軌道又はガイド１３に、嵌め込まれている。
【００２６】
換言すれば、カム１３が、吸引ボックス４に対してトロリ部３を案内し、支持ガイド１５が、プラットフォーム９上での相対移動を許容する。トロリ部３の進行路は、回転軸ＡＡに対して偏心するものに従い、それゆえ、回転式のプラットフォームはこの場合、スリット７の偏心位置に応じて、容器の受け入れから解放まで異なる速度を有する。
【００２７】
実際、上述した構成は、それぞれのトロリ部３が、スリット１２（プラットフォームに対応）に実質的に対応した進行路、すなわち、縁部から出発してそれぞれのトロリ部３が回転軸ＡＡに接近してその後に初期位置に戻る進行路、を有することを許容する。全体的な往復動は、支持構造部（プラットフォーム）９の３６０度の回転の間に達成される。
【００２８】
吸引システムは、「コントロールドリーケージタイプ」、すなわち、固定されたディスク（プラットフォーム）９と吸引ボックス４との間の漏出が制限されるタイプのものであり、吸引ボックス４の内部で生成された全体の減圧に大きな影響を与えないものである。
【００２９】
前記から、ディスクの回転のある角度の断面に沿って延ばされた吸引開口７の存在にもかかわらず、吸引力は、スリット７及びトロリ部３のそれぞれの対応する内部管６のみを通して、ボックス内で、大きいままで保持され得る。
【図１】
2014111503.tif 000003
【図２】
2014111503.tif 000004
【図３】
2014111503.tif 000005
【図４】
2014111503.tif 000006
【図５】
2014111503.tif 000007
【図６】
2014111503.tif 000008
【図７】
2014111503.tif 000009
【図８】
2014111503.tif 000010
【外国語明細書】
2014111503000001.pdf